(57)【特許請求の範囲】
【請求項１】
識別情報としてのテクスチャがマッピングされることにより識別情報が設定された図柄オブジェクトと、前記図柄オブジェクトに対する視点とを、可変表示装置の変動表示領域を含んで設けられた仮想三次元空間に配置し、
前記図柄オブジェクトを変動表示領域で変動表示する変動表示ゲームの表示を制御する表示制御手段を備え、前記変動表示ゲームの結果態様に関連して特定の遊技価値を付与可能な遊技機において、
前記表示制御手段は、
前記仮想三次元空間内に前記図柄オブジェクトを配置し、
前記仮想三次元空間に始点位置を設定し、該視点位置の視野に対応する図柄オブジェクトにテクスチャをマッピングするテクスチャマッピング手段と、
テクスチャマッピングされた図柄オブジェクトをレンダリングして２Ｄ描画データを生成する図柄オブジェクト表示制御手段と、
前記視点を前記仮想三次元空間内の一ヶ所に固定されない視点として制御可能な視点制御手段と、
前記図柄オブジェクトにマッピングされる識別情報テクスチャの貼り付け位置を変更する貼付位置変更手段と、を備え、
前記図柄オブジェクト表示制御手段は、
前記視点制御手段によって視点が移動すると、前記貼付位置変更手段により前記識別情報テクスチャの貼り付け位置を、前記図柄オブジェクトに設定された識別情報が前記視点方向から識別可能な位置に変更し、
該変更された位置データに基づいて２Ｄ描画データを生成することを特徴とする遊技機。
【発明の詳細な説明】
【０００１】
【発明が属する技術分野】
本発明は遊技機に関し、特に、仮想空間内に配置された複数の図柄オブジェクト（識別情報）を、表示装置に変動表示する変動表示ゲームを行う遊技機に関する。
【０００２】
【従来の技術】
遊技機には、遊技領域に発射した遊技球の入賞等に従って、液晶表示器等からなる変動表示装置に特定の識別情報（大当たり図柄）を含む複数の識別情報（特別図柄）を変動表示する変動表示ゲームを行い、その表示結果が特定の態様となったことに関連して特別遊技状態を生起する等の特定の遊技価値を付与するものがある。
【０００３】
また、３ＤＣＧ（三次元のコンピュータグラフィックス）を用いて、識別情報（図柄）やキャラクタを或る視点から見た態様で変動表示装置に立体的に表示して、変動表示ゲームの興趣を向上させる遊技機も提案されている。このように三次元表示が可能な遊技機の変動表示ゲームでは、視点を移動させて識別情報を変動表示するものが提案されている。
【０００４】
【発明が解決しようとする課題】
しかし、従来の二次元による変動表示や、三次元であっても固定した視点からの変動表示の場合には、識別情報が遊技者から特定可能に表示される。しかし、視点が移動するような三次元表示又は識別情報が回転する三次元表示の場合には、視点と図柄オブジェクトとの位置関係によっては識別情報の特定が困難となることがあった。すなわち、識別情報に正対する位置から識別情報に正対しない位置に視点が移動すると、識別情報の種類を認識することが困難となり、識別情報の意味が分からなくなってしまう。
【０００５】
本発明は、三次元空間内において図柄オブジェクトに対する視点が移動しても、識別情報を確実に認識することができる遊技機を提供することを目的とする。
【０００６】
【課題を解決するための手段】
第１の発明は、識別情報としてのテクスチャがマッピングされることにより識別情報が設定された図柄オブジェクト（例えば、立体的な図柄オブジェクト）と、前記図柄オブジェクトに対する視点とを、可変表示装置の変動表示領域を含んで設けられた仮想三次元空間に配置し、前記図柄オブジェクトを変動表示領域で変動表示する変動表示ゲームの表示を制御する表示制御手段を備え、前記変動表示ゲームの結果態様に関連して特定の遊技価値を付与可能な遊技機において、前記表示制御手段は、前記仮想三次元空間内に前記図柄オブジェクトを配置し、前記仮想三次元空間に始点位置を設定し、該視点位置の視野に対応する図柄オブジェクトにテクスチャをマッピングするテクスチャマッピング手段と、テクスチャマッピングされた図柄オブジェクトをレンダリングして２Ｄ描画データを生成する図柄オブジェクト表示制御手段と、前記視点を前記仮想三次元空間内の一ヶ所に固定されない視点として制御可能な視点制御手段と、前記図柄オブジェクトにマッピングされる識別情報テクスチャの貼り付け位置を変更する貼付位置変更手段 と、を備え、前記図柄オブジェクト表示制御手段は、前記視点制御手段によって視点が移動すると、前記貼付位置変更手段により前記識別情報テクスチャの貼り付け位置を、前記図柄オブジェクトに設定された識別情報が前記視点方向から識別可能な位置に変更し、該変更された位置データに基づいて２Ｄ描画データを生成することを特徴とする。
【００１５】
【発明の作用および効果】
第１の発明では、識別情報としてのテクスチャがマッピングされることにより識別情報が設定された図柄オブジェクトと、前記図柄オブジェクトに対する視点とを、可変表示装置の変動表示領域を含んで設けられた仮想三次元空間に配置し、前記図柄オブジェクトを変動表示領域で変動表示する変動表示ゲームの表示を制御する表示制御手段を備え、前記変動表示ゲームの結果態様に関連して特定の遊技価値を付与可能な遊技機において、前記表示制御手段は、前記仮想三次元空間内に前記図柄オブジェクトを配置し、前記仮想三次元空間に始点位置を設定し、該視点位置の視野に対応する図柄オブジェクトにテクスチャをマッピングするテクスチャマッピング手段と、テクスチャマッピングされた図柄オブジェクトをレンダリングして２Ｄ描画データを生成する図柄オブジェクト表示制御手段と、前記視点を前記仮想三次元空間内の一ヶ所に固定されない視点として制御可能な視点制御手段と、前記図柄オブジェクトにマッピングされる識別情報テクスチャの貼り付け位置を変更する貼付位置変更手段 と、を備え、前記図柄オブジェクト表示制御手段は、前記視点制御手段によって視点が移動すると、前記貼付位置変更手段により前記識別情報テクスチャの貼り付け位置を、前記図柄オブジェクトに設定された識別情報が前記視点方向から識別可能な位置に変更し、該変更された位置データに基づいて２Ｄ描画データを生成するので、視点が移動しても識別情報を確実に認識することができる。
【００２４】
【発明の実施の形態】
以下、本発明の実施の形態について、図面に基づいて説明する。
【００２５】
図１は、本発明の実施の形態の遊技機（カード球貸ユニットを併設したＣＲ機）全体の構成を示す正面図である。
【００２６】
遊技機（パチンコ遊技機）１の前面枠３は本体枠（外枠）４にヒンジ５を介して開閉回動可能に組み付けられ、遊技盤６は前面枠３の裏面に取り付けられた収納フレームに収装される。
【００２７】
遊技盤６の表面には、ガイドレールで囲われた遊技領域が形成されている。この遊技領域には、変動表示装置８、大入賞口を備えた変動入賞装置１０、各入賞口１２〜１５、始動口１６、普通図柄表示器７、普通変動入賞装置９等が配設されている。前面枠３には、遊技盤６の前面を覆うカバーガラスが取り付けられている。
【００２８】
変動表示装置８は、遊技盤中央部に設けられ、ＬＣＤ（液晶表示器）、ＣＲＴ（ブラウン管）等で表示画面部分が構成されている。表示画面部分（表示領域）には、複数の変動表示領域が設けられており、各変動表示領域に識別情報（表示図柄）を含む複数の図柄オブジェクトが表示される。すなわち、表示画面の左、中、右に設けられた変動表示領域には、識別情報として割り当てられた図柄（例えば「０」〜「９」までの各数字）が変動表示して変動表示ゲームが行われる。また、遊技の進行に基づくその他の画像が表示される。
【００２９】
特別変動入賞装置１０の上方には、普通変動入賞装置（普通電動役物）９を有する始動口１６が、遊技領域の左右の所定の位置には、普通図柄始動ゲートが配設される。
【００３０】
本実施の形態に係る遊技機では、図示しない打球発射装置から遊技領域に向けて遊技球（パチンコ球）が打ち出されることにより遊技が行われる。打ち出された遊技球は、遊技領域内の各所に配置された風車等の転動誘導部材により転動方向を変えられながら遊技領域表面を流下し、始動口１６、一般入賞口１２〜１５、特別変動入賞装置１０に入賞するか、遊技領域の最下部に設けられたアウト口から排出される。一般入賞口１２〜１５への遊技球の入賞は、一般入賞口毎に備えられたＮ個の入賞センサ５１．１〜５１．Ｎ（図２参照）により検出される。
【００３１】
始動口１６、一般入賞口１２〜１５、特別変動入賞装置１０に遊技球が入賞すると、入賞した入賞装置の種類に応じた数の賞球が払出ユニット（排出装置）から排出され、供給皿２１に供給される。
【００３２】
始動口１６へ遊技球の入賞があると、前述した数字で構成される表示図柄が順に変動表示する変動表示ゲームに関する画像が、変動表示装置８に表示される。始動口１６への入賞が所定のタイミングでなされたとき（具体的には、入賞検出時の特別図柄乱数カウンタ値が当たり値であるとき）には、大当り状態となり、三つの表示図柄が揃った状態（大当たり図柄）で停止する。このとき、特別変動入賞装置１０は、大入賞口ソレノイド１０Ａ（図２参照）への通電により、大入賞口を所定の時間（例えば３０秒）だけ大きく開き、遊技者は多くの遊技球を獲得することができる。すなわち、特別変動入賞装置１０は、遊技球を受け入れない閉状態（遊技者に不利な状態）から遊技球を受け入れやすい開状態（遊技者に有利な状態）に変換される。
【００３３】
始動口１６への遊技球の入賞は、特別図柄始動センサ５２（図２参照）で検出される。この遊技球の通過タイミング（具体的には、入賞検出時点での遊技制御装置１００内に備えられた特別図柄乱数カウンタの値）は、特別図柄入賞記憶として、遊技制御装置１００内の所定の記憶領域（特別図柄乱数記憶領域）に、所定回数（例えば、最大で連続した４回分）を限度に記憶される。この特別図柄入賞記憶の記憶数は、変動表示装置８の下側に設けられた所定数のＬＥＤからなる特別図柄記憶状態表示器１７に表示される。遊技制御装置１００は、特別図柄入賞記憶に基づいて、変動表示装置８にて可変表示ゲームを行う。
【００３４】
特別変動入賞装置１０への遊技球の入賞は、カウントセンサ５４、継続センサ５５（図２参照）により検出される。
【００３５】
普通図柄始動ゲートへの遊技球の通過があると、普通図柄表示器７では、普通図柄（例えば、一桁の数字からなる図柄）の変動表示を始める。普通図柄始動ゲートへの通過検出が所定のタイミングでなされたとき（具体的には、通過検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９は、普通電動役物ソレノイド９Ａ（図２参照）への通電により、始動口１６への入口を所定の時間（例えば０．５秒）だけ拡開するように変換され、遊技球の始動口１６への入賞可能性が高められる。
【００３６】
普通図柄始動ゲートへの遊技球の通過は、普通図柄始動センサ５３（図２参照）で検出される。この遊技球の通過タイミング（具体的には、通過検出時点での遊技制御装置１００内に備えられた普通図柄乱数カウンタの値）は、普通図柄始動記憶として、遊技制御装置１００内の所定の記憶領域（普通図柄乱数記憶領域）に、所定回数（例えば、最大で連続した４回分）を限度に記憶される。この普通図柄始動記憶の記憶数は変動入賞装置１０の右側に設けられた所定数のＬＥＤからなる普通図柄記憶状態表示器１９に表示される。遊技制御装置１００は普通図柄始動記憶に基づいて、普通図柄に関する当たりの抽選を行う。
【００３７】
遊技機の要所には、装飾用ランプ、ＬＥＤ等の装飾発光装置が設けられる。すなわち、遊技盤中央部に設けられたセンターケース（変動表示装置８の周囲）、遊技盤下部に設けられたアタッカー（変動入賞装置１０の周囲）には、遊技の進行に応じて発光する装飾ランプが設けられている。さらに、遊技盤の左右上部にはサイドケースランプが、遊技盤の左右側部にはサイドランプが設けられている。また、遊技枠には遊技枠装飾ランプが設けられている。これらのランプは遊技の進行に合わせて点灯して、遊技者の遊技に対する興趣が継続するようにしている。
【００３８】
さらに、カバーガラス１８の上部の前面枠３には、点灯により球の排出の異常等の状態を報知する第１報知ランプ３１、第２報知ランプ３２が設けられている。
【００３９】
前面枠３の下部の開閉パネル２０には球を打球発射装置に供給する上皿２１が、固定パネル２２には下皿２３及び打球発射装置の操作部２４等が配設される。また、開閉パネル２０には音出力装置（スピーカ）が設けられる。
【００４０】
カード球貸ユニット用の操作パネル２６には、カードの残高を表示するカード残高表示部（図示省略）、球貸しを指令する球貸しスイッチ２８、カードの返却を指令するカード返却スイッチ３０等が設けられている。
【００４１】
カード球貸ユニット２には、前面のカード挿入部２５に挿入されたカード（プリペイドカード等）のデータの読込、書込等を行うカードリーダライタと球貸制御装置が内蔵され、カード球貸ユニット用の操作パネル２６は遊技機１の上皿２１の外面に形成される。
【００４２】
図２は、遊技制御装置１００を中心とする遊技機１の制御系の一部を示すブロック図である。
【００４３】
遊技制御装置１００は、遊技を統括的に制御する主制御装置であり、遊技制御を司るＣＰＵ、遊技制御のための不変の情報を記憶しているＲＯＭ及び遊技制御時にワークエリアとして利用されるＲＡＭを内蔵した遊技用マイクロコンピュータ１０１、入力インターフェース１０２、出力インターフェース１０３、発振器１０４等から構成される。
【００４４】
遊技用マイクロコンピュータ１０１は、入力インターフェース１０２を介しての各種検出装置（一般入賞口センサ５１．１〜５１．Ｎ、特別図柄始動センサ５２、普通図柄始動センサ５３、継続センサ５４、カウントセンサ５５）からの検出信号を受けて、大当り抽選等、種々の処理を行う。そして、出力インターフェース１０３を介して、各種制御装置（表示制御装置１５０、排出制御装置２００、装飾制御装置２５０、音制御装置３００）、普通図柄表示器７、普通電動役物ソレノイド９Ａ、大入賞口ソレノイド１０Ａ等に指令信号を送信して、遊技を統括的に制御する。
【００４５】
排出制御装置２００は、遊技制御装置１００からの賞球指令信号に基づいて、払出ユニットの動作を制御し賞球を排出させる。また、図示しないカード球貸ユニットからの貸球要求に基づいて、払出ユニットの動作を制御し貸球を排出させる。
【００４６】
装飾制御装置２５０は、遊技制御装置１００からの装飾指令信号に基づいて、装飾用ランプ、ＬＥＤ等の装飾発光装置（センターケース内の装飾ランプ、アタッカー内の装飾ランプ、サイドランプ、サイドケースランプ、遊技枠装飾ランプ、報知ランプ３１、等）を制御する、また、特別図柄始動記憶表示器１７、普通図柄始動記憶表示器１９の表示を制御する。
【００４７】
音制御装置３００は、スピーカからの効果音の出力を制御する。
【００４８】
なお、遊技制御装置１００から、各種従属制御装置（表示制御装置１５０、排出制御装置２００、装飾制御装置２５０、音制御装置３００）への通信は、遊技制御装置１００から従属制御装置に向かう単方向通信のみが許容されるようになっている。これにより、遊技制御装置１００に従属制御装置側から不正な信号が入力されることを防止することができる。
【００４９】
遊技機の電源装置（図示省略）は、電源回路のほかに、バックアップ電源部と停電監視回路とを備えている。停電監視回路は、電源装置の所定の電圧降下を検出すると、遊技制御装置１００等に対して停電検出信号とリセット信号とを順に出力する。遊技制御装置１００は、停電検出信号を受けると所定の停電処理を行い、リセット信号を受けるとＣＰＵの動作を停止する。バックアップ電源部は、遊技制御装置１００等のＲＡＭにバックアップ電源を供給して、遊技データ（遊技情報、遊技制御情報：変動表示ゲーム情報を含む）等をバックアップする。
【００５０】
表示制御装置１５０は、二次元（２Ｄ）及び三次元（３Ｄ）画像の表示制御を行うもので、表示制御手段、視点制御手段及び図柄オブジェクト表示制御手段として機能する。この表示制御装置１５０は、ＣＰＵ１５１、ＶＤＰ（３Ｄ画像描画手段として機能するVideo Display Processor）１５２、ＲＡＭ１５３、１５４、インターフェース１５５、プログラム等を格納したＲＯＭ１５６、画像データ（図柄データ、背景画データ、動画キャラクタデータ、テクスチャデータ等）を格納したＣＧＲＯＭ１５７、液晶を駆動するＬＣＤインターフェース１５８等から構成される。
【００５１】
ＣＰＵ１５１は、ＰＲＧＲＯＭ１５６に格納したプログラムを実行し、遊技制御装置１００からの表示制御指令信号に基づいて、２Ｄの画面情報（図柄表示情報、背景画面情報、動画キャラクタ画面情報等）を作成したり、３Ｄの画像情報の座標演算（ジオメトリ演算）等を行い、これらの演算結果をＤＲＡＭ１５３に格納する。
【００５２】
ＶＤＰ１５２は、ＤＲＡＭ１５３に格納された画像情報に基づいて、２Ｄ又は３Ｄの画像を描画してフレームバッファとしてのＤＲＡＭ１５４に格納する。そして、ＤＲＡＭ１５４の画像を所定のタイミング（垂直同期、水平同期）でＬＣＤインターフェース１５８へ送出して、変動表示装置８に画像データを出力する。そして、変動表示装置８の液晶表示画面には三次元画像が表示される。
【００５３】
ＶＤＰ１５２は、２Ｄと３Ｄの点描画、線描画、トライアングル描画、ポリゴン描画等の描画処理を行い、さらに３Ｄ画像では、テクスチャマッピング、アルファブレンディング、シェーディング処理（グローシェーディングなど）、陰面消去（Ｚバッファ処理など）を行って、ＣＰＵ１５１が設定した３ＤオブジェクトをフレームバッファとしてのＤＲＡＭ１５４へ描画する。
【００５４】
なお、ＶＤＰ１５２と変動表示装置８との間のインターフェース１５８は、変動表示装置の種類に応じて適宜選択すればよく、ここでは変動表示装置８に液晶を用いたが、ＣＲＴ、ＥＬあるいはプラズマなどの表示素子を採用する場合には、これらの表示素子に対応するインターフェースを用いればよい。
【００５５】
また、ＣＧＲＯＭ１５７には、変動表示ゲームに用いる図柄オブジェクトなどの各図柄、背景、キャラクタ等の２Ｄデータ、３Ｄオブジェクトデータ、テクスチャデータが格納されている。
【００５６】
遊技制御装置１００からの表示制御指令信号を受信するインターフェース１５５の手前には、信号伝達方向規制手段であるバッファ回路１６０が設けられ、遊技制御装置１００から表示制御装置１５０への信号入力のみを許容し、表示制御装置１５０から遊技制御装置１００への信号出力を禁止している。
【００５７】
図３は、本発明の実施の形態の遊技機の状態遷移図である。この状態遷移図に従って、遊技の概要について説明する。以下の説明では、変動表示装置８の変動表示領域を左、右、中の変動表示領域として説明する。
【００５８】
まず、遊技開始当初（あるいは遊技開始前）の時点では、客待ち状態となっており、客待ち画面の表示を指令する表示制御指令信号が遊技制御装置１００から表示制御装置１５０に送信され、変動表示装置８の表示画面には、動画又は静止画である客待ち画面が表示される。
【００５９】
そして、遊技領域に打ち出された遊技球が始動口１６に入賞すると、遊技制御装置１００によって、所定の乱数が抽出され、変動表示ゲームの大当りの抽選が行われ、その入賞が特別図柄始動記憶として記憶される。そして、遊技制御装置１００から表示制御装置１５０に変動表示を指令する表示制御指令信号が送信され、変動表示装置８の画面の左、右、中の変動表示領域に複数の図柄の変動表示が開始される。
【００６０】
この変動表示の開始後、所定の時間が経過すると、変動表示が左、右、中の順に仮停止するが、この過程でリーチ状態（例えば、左の図柄と右の図柄が大当りの組合せを発生する可能性のある状態）が発生すると、所定のリーチ遊技が行われる。このリーチ遊技では、例えば中の図柄を極めて低速で変動表示させたり、高速変動させたり、変動表示を逆転したりする。また、リーチ遊技に合わせた背景表示、キャラクタ表示が行われる。
【００６１】
なお、仮停止状態とは遊技者が図柄を認識可能な略停止状態として、最終的な停止図柄が確定しない状態である。具体的には、停止位置にて図柄を微少に変動させることの他に、図柄を回転させたり、図柄を拡大縮小したり、図柄の色を変化させたり、図柄の形状を変化させる等の態様がある。
【００６２】
そして、当り図柄の抽選の結果が大当りであれば、最終的に左、右、中の図柄が所定の大当りの組合せで停止して、大当りが発生する。
【００６３】
この大当り遊技が発生すると、特別変動入賞装置１０が所定期間にわたって開かれる特別遊技が行われる。この特別遊技は特別変動入賞装置１０への遊技球の所定数（例えば１０個）の入賞又は所定時間の経過（例えば３０秒）を１単位（１ラウンド）として実行され、特別変動入賞装置１０内の継続入賞口への入賞（継続センサ５４による入賞球の検出）を条件に、規定ラウンド（例えば１６ラウンド）繰り返される。また、大当り遊技が発生すると、大当りのファンファーレ表示、ラウンド数表示、大当りの演出表示等、遊技制御装置１００から表示制御装置１５０に大当り遊技に関する表示を指令する信号が送信され、変動表示装置の表示画面に大当り遊技の表示が行われる。
【００６４】
この大当りが特定の大当りであれば、大当り遊技後に特定遊技状態が発生して、次回の大当りの発生確率を高確率（確変状態）にしたり、普図の変動表示ゲームの変動表示時間の短縮（時短）等が行われ、遊技者により有利な状態となる。
【００６５】
そして、変動表示ゲームが終了したとき（ハズレのとき）にあるいは大当り遊技が終了したときに、特別図柄始動記憶があれば、その特別図柄始動記憶に基づき新たな変動表示ゲームが繰り返される。また、変動表示ゲームが終了したとき（ハズレのとき）に、特別図柄始動記憶がなければ、客待ち状態に戻される。
【００６６】
なお、普通図柄始動ゲートを遊技球の通過又は普通図柄始動記憶に基づき、普通図柄に関する乱数が抽出され、乱数が当たりであれば、普通図柄表示器７に当たり表示が行われて、始動口１６の手前に設けられた普通変動入賞装置９が所定時間にわたって拡開され、始動口１６への入賞が容易にされる。
【００６７】
図４は、表示制御装置１５０において実行される、三次元描画処理のフローチャートである。この三次元描画処理は、ＣＰＵ１５１、ＶＤＰ１５２を主体に行われる。
【００６８】
後述するコマンド受信処理で、遊技制御装置１００から表示制御指令信号を受信すると、３Ｄ表示を行うシーン及び３Ｄオブジェクトを決定する（Ｓ１）。
【００６９】
そして、予め設定した仮想三次元空間（ワールド空間）内に、選択した３Ｄオブジェクトを配置するワールドトランスフォーム処理を行う（Ｓ２）。このワールドトランスフォーム処理は、各３Ｄオブジェクト毎に設定されたモデル空間をワールド空間に変換するものであり、３Ｄオブジェクトの回転やスケーリング、位置、サイズなどの変換が含まれる。
【００７０】
次に、上記ステップＳ１で決定したシーンに対応したワールド空間内の視点（ビュー）の位置、方向から、ステップＳ２で求めたワールド空間を、視点を原点とするカメラ空間に変換する、ビュートランスフォーム処理を行う（Ｓ３）。
【００７１】
そして、ステップＳ３のビュートランスフォーム処理で求めたカメラ空間を、カメラの視野（視野角）に対応する立体空間に変換する射影トランスフォーム処理を行う（Ｓ４）。これにより、視野内の３Ｄオブジェクトを抽出するとともに、カメラに近い３Ｄオブジェクトは大きく拡大され、カメラから遠い３Ｄオブジェクトは縮小される。
【００７２】
そして、上記カメラの視野に対応した立体空間内の３Ｄオブジェクト（ポリゴンデータ）を、変動表示装置８のスクリーン座標（表示領域）に対応する立方体空間に変換するクリッピング処理を行う（Ｓ５）。
【００７３】
上記ステップＳ２〜Ｓ５の処理が、いわゆるジオメトリ演算であり、ここではＣＰＵ１５１がジオメトリ演算処理を行い、ＶＤＰ１５２がジオメトリ演算以降のラスタライズ処理を行う例を示している。
【００７４】
次に、ステップＳ５でクリッピングされた立方体内の各ポリゴンデータについて、仮想三次元空間に設定された光源に基づいてライティング処理を行う（Ｓ６）。このライティングの一例としては、陰影やポリゴンの素材に応じた反射等を演算する。
【００７５】
そして、各ポリゴンの表面に所定のテクスチャを貼り付けるテクスチャマッピングを行って、３Ｄオブジェクトの外観を決定する（Ｓ７）。このテクスチャマッピングでは、単純なテクスチャの貼り付けだけではなく、ライトマッピングや環境マッピング、バンプマッピングなどのテクスチャに対して、所定の処理をしてから３Ｄオブジェクトに貼り付ける処理も行う。
【００７６】
次に、ステップＳ７のテクスチャマッピングを終了した各ポリゴン上のピクセルに対して深度（奥行）情報を決定する（Ｓ８）。すなわち、全てのポリゴンのピクセル毎に深度情報を調べ、深度バッファに記憶された深度よりも、カメラに近い場合にそのピクセルを表示するとともに、深度バッファの深度情報を更新する。全てのポリゴンについて、この処理を行うことにより、完全にレンダリングされた２Ｄの描画データが完成する。
【００７７】
そして、この２Ｄの描画データを、ＤＲＡＭ１５４（フレームバッファ）上に予め設定した変動表示装置８の表示領域へ書き込むことで（Ｓ９）、１フレーム分の３Ｄ画像が生成される。なお、ＶＤＰ１５２では、上述のように生成した３Ｄ画像を２Ｄ画像と合成（オーバーレイ）して表示することができる。また、生成した３Ｄ画像を複数のレイヤ（フレームバッファ）に描画して、このレイヤを合成（オーバーレイ）して表示することもできる。
【００７８】
このように、上記ステップＳ１〜Ｓ９を繰り返し実行することにより、遊技制御装置１００の指令に応じた３Ｄ画像の表示を行うことが可能となる。
【００７９】
なお、図４の表示制御は、ＣＰＵ１５１やＶＤＰ１５２のアーキテクチャ等に応じて適宜選択されるものであり、例えば、図４のステップＳ２〜Ｓ５をＣＰＵ１５１で行う一例を示したが、ＶＤＰ１５２がステップＳ２以降の処理を実行することもでき、また、上記ステップＳ２以降の処理をＶＤＰ１５２のハードウェアで実行することも可能である。
【００８０】
図５は、表示制御装置１５０において実行される、コマンド受信処理のフローチャートである。
【００８１】
遊技制御装置１００から表示制御装置１５０へは、遊技制御装置１００の動作周期（例えば２ミリ秒）に従ったパルス信号による通信割込信号が送出され、通信割込信号に同期して遊技制御装置１００から表示制御装置１５０に表示制御指令信号（表示制御コマンド）が送られてくる。表示制御装置１５０は、通信割込信号を検出すると、ＣＰＵに割込を発生させて、コマンド受信処理を実行する。
【００８２】
コマンド受信処理では、表示制御装置１５０は、通信割込信号にあわせて遊技制御装置１００からの表示制御指令信号を読み込む（Ｓ１１）。そして、受信した表示制御指令信号から表示する内容（リーチの種類など）を解析して、変動パターンをセットする（Ｓ１２）。そして、表示制御のメインルーチンに戻る。
【００８３】
なお、表示制御指令信号が、変動パターンに関するものではなく、変動表示の態様として図柄オブジェクトの表示態様（例えば、ライティング）を変化させる表示制御指令信号であるときは、その表示態様に関するデータをセットするように構成することもできる。
【００８４】
図６、図７は、本発明の実施の形態の遊技機において図柄オブジェクトを表示する際の、図柄オブジェクトと視点との位置関係を示す概念図である。
【００８５】
図柄オブジェクトは、立体図形（球体）に識別情報として数字の「７」が貼り付けられて構成されている。この図柄オブジェクトは、識別情報（数字の「７」）を含むテクスチャを、立体図形にマッピングすることによって、識別情報を貼り付られる。
【００８６】
図６で、視点ａは識別情報に正対する位置の視点を示す。この状態では、図８（ア）に示すように、図柄オブジェクトの中心付近に識別情報（数字の「７」）が見えるように、図柄オブジェクトが表示される。
【００８７】
視点がａからｂに移動した状態を図７に示す。視点がａにある状態で視点ａの正面に位置していた識別情報は、視点制御手段の機能によって視点がａからｂに移動すると、識別情報は視点ｂの正面に位置するように移動する。この状態でも、図８（ア）に示すように、図柄オブジェクトの中心付近に識別情報（数字の「７」）が見えるように、図柄オブジェクトが表示される。
【００８８】
すなわち、図柄オブジェクトが図６の状態のままで、視点がａからｂに移動すると、図８（イ）に示すように、図柄オブジェクトはその右側に識別情報が見えるように表示され、この位置からでは識別情報の種類を認識することが困難である。しかし、本発明によれば、図柄オブジェクトに設定された識別情報が視点方向から認識可能なように該図柄オブジェクトを表示するので、視点が移動しても識別情報を認識することができる。
【００８９】
また、視点制御手段によって、視点がａ−ｂ間を連続的に移動するようにも、視点がａからｂに不連続に移動する（瞬間的に視点が切り替わる）ように構成してもよい。また、両者を混合したいくつかの移動パターンを備えて、いずれかを選択して視点移動制御をするように構成してもよい。このように視点が連続的に移動するように構成すると、遊技者が表示状況を把握しやすくなる。また、視点が不連続に移動するように構成すると、識別情報の識別性が低下する視点位置が存在するものの、迅速に表示を切り替えることができる。
【００９０】
この識別情報の移動は、図１１〜図１４で後述するように、図柄オブジェクト自体を回転させることによる図柄オブジェクトの向きの変更や、図柄オブジェクト自体（立体図形自体）は回転せずに、図柄オブジェクトにマッピングされるテクスチャ（識別情報）の貼り付け位置を変更することによって実現される。これらの処理は図柄オブジェクト表示制御手段の機能によって実現される。具体的には、既述図４における三次元描画処理のフローチャートのステップＳ１の処理によって、図柄オブジェクトと視点との位置を表すデータが変更される。
【００９１】
図９は、本発明の実施の形態の遊技機において図柄オブジェクトを表示する際の、図柄オブジェクトと視点との位置関係を示す概念図である。
【００９２】
図９に示す実施の形態において、（ａ）は視点と図柄オブジェクト（識別情報）との位置関係を示し、（ｂ）は図柄オブジェクトが表示画面に表示される態様を示す。視線は視点（カメラ）から放射状に発せられている（視線は視点位置で収束している）。すなわち、識別情報は視線が収束する点に向くように図柄オブジェクトが制御されている。そして、図９（ａ）に示すように、識別情報が所定の点を向く場所に位置するときに、表示画面には図９（ｂ）に示すように遊技者に正対した識別情報が表示される。この図９に示す実施の形態は、図柄オブジェクトと、視点との距離が短い場合にも識別情報が視点の方向を向いた表示が可能となる点で有効である。
【００９３】
図１０は、本発明の実施の形態の遊技機において図柄オブジェクトを表示する際の、図柄オブジェクトと視点との別な位置関係を示す概念図である。
【００９４】
図１０に示す実施の形態において、（ａ）は視点と図柄オブジェクト（識別情報）との位置関係を示し、（ｂ）は図柄オブジェクトが表示画面に表示される態様を示す。視線は図柄オブジェクトに対して平行に到達している（視線は十分に遠い視点（カメラ）から発せられている）。すなわち、識別情報は平行な方向を向くように図柄オブジェクトが制御されている。そして、図１０（ａ）に示すように、識別情報が平行な方向を向く場所に位置するときに、表示画面には図１０（ｂ）に示すように遊技者に正対した識別情報が表示される。
【００９５】
図１１は、本発明の実施の形態の遊技機において用いられる、テクスチャマッピングがされた図柄オブジェクトを示す説明図である。図１１には、テクスチャのマッピング位置を変更する例を示す。
【００９６】
図１１では、立体図形（立方体）上に、黒丸の識別情報を含むテクスチャが貼り付けられている。そして、図１１（ａ）、（ｂ）、（ｃ）の順に視点が図上を左から右方向に移動していく。
【００９７】
図１１（ａ）では、視点は左側にあり、識別情報としての黒丸は左側に位置している。そして、図１１（ｂ）では、視点は図の正面にあり、識別情報としての黒丸は正面に移動して、立方体の辺上に位置している。そして、図１１（ｃ）では、視点は右方向に移動して、識別情報としての黒丸も右側に移動する。この視点移動の間、図柄オブジェクト（図柄オブジェクトを構成する立体図形）は、回転移動することなく、テクスチャのみが図柄オブジェクト上を滑るように移動している。
【００９８】
図１２は、本発明の実施の形態の遊技機において用いられる、テクスチャマッピングがされた別の図柄オブジェクトを示す説明図である。図１２には、図柄オブジェクト自体が回転する例を示す。
【００９９】
図１２では、立体図形（立方体）上に、黒丸の識別情報を含むテクスチャが貼り付けられている。そして、図１２（ａ）、（ｂ）、（ｃ）の順に視点が図上を左から右方向に移動していく。
【０１００】
図１２（ａ）では、視点は左側にあり、識別情報としての黒丸は左側に位置している。そして、図１２（ｂ）では、視点は図の正面にあり、識別情報としての黒丸は図柄オブジェクトと共に移動して、視点の正面に位置している。そして、図１２（ｃ）では、視点は右方向に移動して、識別情報としての黒丸も図柄オブジェクトの回転と共に右側に移動する。この視点移動の間、図柄オブジェクト（図柄オブジェクトを構成する立体図形）とテクスチャとは一定の関係で変化することなく、図柄オブジェクトは全体として回転移動して、識別情報を移動させている。
【０１０１】
図１３は、本発明の実施の形態の遊技機において用いられる、テクスチャマッピングがされた別の図柄オブジェクトを示す説明図である。図１３には、テクスチャの一部のマッピング位置を変更する例を示す。
【０１０２】
図１３では、立体図形（立方体）上に、黒丸の識別情報を含むテクスチャが貼り付けられており、該立体図形の上には、図柄オブジェクトを構成するキャラクタの頭部が配置されている。そして、図１３（ａ）、（ｂ）、（ｃ）の順に視点が図上を左から右方向に移動していく。
【０１０３】
図１３（ａ）では、視点は左側にあり、識別情報としての黒丸は左側に位置している。そして、図１３（ｂ）では、視点は図の正面にあり、識別情報としての黒丸は正面に移動して、立方体の辺上に位置している。そして、図１３（ｃ）では、視点は右方向に移動して、識別情報としての黒丸も右側に移動する。この視点の移動の間、図柄オブジェクト（図柄オブジェクトを構成する立体図形）は、回転移動することなく、テクスチャのみが、図柄オブジェクト上を滑るように移動している。また、図柄オブジェクトに貼り付けられたテクスチャの全部ではなく、テクスチャの一部のみが移動している。すなわち図柄オブジェクト下部の立方体のテクスチャのみが移動し、図柄オブジェクト上部のキャラクタの頭部のテクスチャは移動していない。
【０１０４】
図１４は、本発明の実施の形態の遊技機において用いられる、テクスチャマッピングがされた別の図柄オブジェクトを示す説明図である。図１４には、図柄オブジェクトの一部を回転させる例を示す。
【０１０５】
図１４では、立体図形（立方体）上に、黒丸の識別情報を含むテクスチャが貼り付けられており、該立体図形の上には、図柄オブジェクトを構成するキャラクタの頭部が配置されている。そして、図１４（ａ）、（ｂ）、（ｃ）の順に視点が図上を左から右方向に移動していく。
【０１０６】
図１４（ａ）では、視点は左側にあり、識別情報としての黒丸は左側に位置している。そして、図１４（ｂ）では、視点は図の正面にあり、識別情報としての黒丸は図柄オブジェクトの一部（立体図形）と共に移動して、視点の正面に位置している。そして、図１４（ｃ）では、視点は右方向に移動して、識別情報としての黒丸も図柄オブジェクトの一部（立体図形）の回転と共に右側に移動する。この視点の移動の間、図柄オブジェクト（図柄オブジェクトを構成する立体図形）のうち識別情報を含むテクスチャが貼り付けられた部分とテクスチャとは一定の関係にある。すなわち、識別情報としての黒丸は図柄オブジェクトの一部（立体図形）と共に回転移動するが、図柄オブジェクトの他の部分（キャラクタの頭部）は回転移動せず、図柄オブジェクト全体は回転移動していないい。
【０１０７】
以上、図１１〜図１４において、識別情報の移動の態様について説明したが、この識別情報の移動は、視点の移動と同時でも、視点の移動に遅れて識別情報が移動するように構成してもよい。すなわち、視点が移動してから所定の短時間経過後に識別情報が視点方向に移動するように構成する。
【０１０８】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【図１】  本発明の実施の形態の遊技機の全体の構成を示す正面図である。
【図２】  同じく制御系の一部を示すブロック図である。
【図３】  同じく遊技機の状態遷移図である。
【図４】  同じく三次元描画処理のフローチャートである。
【図５】  同じくコマンド受信処理のフローチャートである。
【図６】  同じく図柄オブジェクトの表示例の概念図である。
【図７】  同じく図柄オブジェクトの表示例の概念図である。
【図８】  同じく図柄オブジェクトの説明図である。
【図９】  同じく図柄オブジェクトの表示例の概念図である。
【図１０】  同じく図柄オブジェクトの表示例の概念図である。
【図１１】  同じく図柄オブジェクトの説明図である。
【図１２】  同じく図柄オブジェクトの説明図である。
【図１３】  同じく図柄オブジェクトの説明図である。
【図１４】  同じく図柄オブジェクトの説明図である。
【符号の説明】
１  遊技機
８  変動表示装置
１００  遊技制御装置
１５０  表示制御装置
【図１】
0003930717.tif 000002
【図２】
0003930717.tif 000003
【図３】
0003930717.tif 000004
【図４】
0003930717.tif 000005
【図５】
0003930717.tif 000006
【図６】
0003930717.tif 000007
【図７】
0003930717.tif 000008
【図８】
0003930717.tif 000009
【図９】
0003930717.tif 000010
【図１０】
0003930717.tif 000011
【図１１】
0003930717.tif 000012
【図１２】
0003930717.tif 000013
【図１３】
0003930717.tif 000014
【図１４】
0003930717.tif 000015